(57)【要約】【課題】  基地局用空調装置において、局舎内にて温度むらの発生を抑制する。【解決手段】  基地局用空調装置は、電動式コンプレッサ１０、凝縮器１１、減圧器１３、蒸発器１４、室内送風機１５、温度センサ１６、および電子制御装置５を備えており、電子制御装置５としては、電動式コンプレッサ１０の停止後一定期間経過すると室内送風機１５の稼働を停止させるとともに、空気温度が温度Ｔｓ以上になると電動式室内送風機１５の稼働を開始させるとともに、空気温度が温度Ｔｓよりも高い温度Ｔｃ以上になると電動式コンプレッサ１０の稼働を開始させる。【選択図】        図１
2005055035.tif 000002
【特許請求の範囲】
【請求項１】
携帯電話通信網の基地局の局舎内の空気温度を制御する基地局用空調装置であって、
冷媒を圧縮し吐出するコンプレッサ（１０）と、
このコンプレッサから吐出される冷媒が前記携帯電話基地局の局舎外に放熱して凝縮するための凝縮器（１１）と、
この凝縮器で凝縮される冷媒を減圧膨張させる減圧器（１３）と、
この減圧器にて減圧膨張された冷媒を蒸発させて前記コンプレッサに向け出力する蒸発器（１４）と、
前記局舎内の空気を前記蒸発器に送風する室内送風機（１５）と、
前記局舎内の空気温度を検出する温度センサ（１６）と、
前記温度センサにより検出される空気温度に応じて前記コンプレッサを制御するとともに、前記コンプレッサの停止後一定期間経過すると前記室内送風機の稼働を停止させる制御装置（５）と、
を備えることを特徴とする基地局用空調装置。
【請求項２】
前記制御装置は、前記検出される空気温度が第１の温度以上になると前記室内送風機の稼働を開始させるとともに、前記検出される空気温度が前記第１の温度よりも高い第２の温度以上になると前記コンプレッサの稼働を開始させることを特徴とする請求項１に記載の基地局用空調装置。
【請求項３】
前記制御装置は、前記温度センサにより検出される空気温度に応じて、前記室内送風機の稼働を開始させるとともに、前記室内送風機の稼働開始後一定期間以上経過したとき、前記コンプレッサの稼働を開始させることを特徴とする請求項１に記載の基地局用空調装置。
【発明の詳細な説明】
【技術分野】
【０００１】
本発明は、携帯電話通信網の基地局の局舎内の空気温度を制御する基地局用空調装置に関する。
【背景技術】
【０００２】
従来、携帯電話基地局の局舎内に設置される無線機等の電気機器を冷却して局舎内の空気温度を予め決められる設定温度Ｔｓに近づけるように動作する基地局用空調装置が提案されている。
【０００３】
具体的には、基地局用空調装置は、冷媒を圧縮し吐出する電動式コンプレッサ、このコンプレッサから吐出される冷媒が携帯電話基地局の局舎外に放熱し凝縮する凝縮器、この凝縮器で凝縮される冷媒を減圧膨張させる減圧器、この減圧器にて減圧膨張された冷媒を蒸発させてコンプレッサに向け出力する蒸発器、および、局舎内の空気を蒸発器に送風する室内送風機を備えている。
【０００４】
さらに、基地局用空調装置には、局舎内の空気温度を検出する温度センサからのセンサ出力に基づき局舎内の空気温度を設定温度Ｔｓに近づけるように室内送風機およびコンプレッサを制御する電子制御装置が設けられている。
【発明の開示】
【発明が解決しようとする課題】
【０００５】
ところで、上述の基地局用空調装置では、図５に示すように、局舎内の空気温度が、局舎内の空気温度が設定温度Ｔｓよりも０．５度だけ低い温度Ｔａ（＝Ｔｓ−０．５）以上になったとき、電子制御装置により、コンプレッサの稼働を開始させる。
【０００６】
一方、局舎内の空気温度が設定温度Ｔｓよりも１度だけ低い温度Ｔｂ（＝Ｔｓ−１）未満になると、電子制御装置により、コンプレッサを停止させる。
【０００７】
そして、電子制御装置は、コンプレッサの稼働開始に連動して、局舎内の空気温度が温度Ｔａ（＝Ｔｓ−０．５）以上になると、室内送風機の稼働を開始させて、局舎内の空気温度が温度Ｔｂ（Ｔｓ−１）未満になったとき、室内送風機を停止させる。このため、室内送風機の停止後、無線機等の電気機器からの廃熱により、電気機器周辺だけの空気温度が急上昇する。
【０００８】
ここで、温度センサを電気機器の近くに配置したとき、室内送風機の停止後にて短期間で、温度センサにより検出される空気温度としても、急上昇して、温度Ｔａ（＝Ｔｓ−０．５）を上回って、コンプレッサの稼働を開始させる可能性がある。
【０００９】
すなわち、室内送風機の停止後、無線機等の電気機器からの廃熱により、局舎内にて温度むらが発生するため、局舎内の一部の空気温度に基づきコンプレッサを制御する。
【００１０】
本発明は、上記点に鑑み、局舎内にて温度むらの発生を抑制するようにした基地局用空調装置を提供することを目的とする。
【課題を解決するための手段】
【００１１】
上記目的を達成するため、請求項１に記載の発明では、携帯電話通信網の基地局の局舎内の空気温度を制御する基地局用空調装置であって、冷媒を圧縮し吐出するコンプレッサ（１０）と、このコンプレッサから吐出される冷媒が携帯電話基地局の局舎外に放熱し凝縮する凝縮器（１１）と、この凝縮器で凝縮される冷媒を減圧膨張させる減圧器（１３）と、この減圧器にて減圧膨張された冷媒を蒸発させてコンプレッサに向け出力する蒸発器（１４）と、局舎内の空気を蒸発器に送風する室内送風機（１５）と、局舎内の空気温度を検出する温度センサ（１６）と、温度センサにより検出される空気温度に応じてコンプレッサを制御するとともに、コンプレッサの停止後一定期間経過すると室内送風機の稼働を停止させる制御装置（５）と、を備えることを特徴とする。
【００１２】
これにより、コンプレッサの停止後一定期間だけ室内送風機を稼働させることになるので、局舎内の空気を攪拌することが可能になり、局舎内にて温度むらの発生を抑制することができる。
【００１３】
したがって、温度センサとしては、局舎内の全体を加味した空気温度を検出することができる。このように検出される空気温度に基づきコンプレッサが制御されるので、そのコンプレッサの制御としては精度の高いものとなる。
【００１４】
また、請求項２に記載の発明では、制御装置は、検出される空気温度が第１の温度以上になると室内送風機の稼働を開始させるとともに、検出される空気温度が第１の温度よりも高い第２の温度以上になるとコンプレッサの稼働を開始させることを特徴とする。
【００１５】
この場合、空気温度が上昇するとき、コンプレッサの稼働に先だって、室内送風機の稼働が開始されて、局舎内の空気が攪拌されるため、この攪拌された空気温度に基づき、コンプレッサの稼働を開始させることができる。このため、コンプレッサの稼働を開始させる制御をより一層精度良く行うことができる。
【００１６】
請求項３に記載の発明では、制御装置は、温度センサにより検出される空気温度に応じて、室内送風機の稼働を開始させるとともに、室内送風機の稼働開始後一定期間以上経過したとき、コンプレッサの稼働を開始させることを特徴とする。
【００１７】
この場合、コンプレッサの稼働開始に先だって、一定期間以上室内送風機を稼働させて、局舎内の空気が攪拌されるため、この攪拌された空気温度に基づき、コンプレッサの稼働を開始させることができる。このため、請求項２に記載の発明と同様、コンプレッサの稼働を開始させる制御をより一層精度良く行うことができる。
【００１８】
なお、上記各手段の括弧内の符号は、後述する一実施形態に記載の具体的手段との対応関係を示すものである。
【発明を実施するための最良の形態】
【００１９】
図１に、本発明の一実施形態の携帯電話通信網の基地局用空調装置の概略構成を示す。
【００２０】
図１に示す基地局用空調装置は、基地局１の局舎内に配置される電気機器２を冷却するものであって、室外機３、室内機４、および電子制御装置５等から構成されている。
【００２１】
室外機３は、局舎外に配置されるものであって、冷媒を圧縮し吐出する電動式コンプレッサ１０と、この電動式コンプレッサ１０から吐出される冷媒が局舎外に放熱して凝縮するための凝縮器１１と、凝縮器１１に局舎外の空気を送風する電動式室外送風機１２とから構成されている。
【００２２】
室内機４は、局舎内に配置されるものであって、凝縮器１１で凝縮される冷媒を減圧膨張させる減圧器１３と、この減圧器１３にて減圧膨張された冷媒を蒸発させて電動式コンプレッサ１０に向け出力する蒸発器１４と、局舎内の空気を蒸発器１４に送風する電動式室内送風機１５と、局舎内の空気温度を検出する温度センサ１６とから構成されている。
【００２３】
電子制御装置５は、マイクロコンピュータおよびメモリなどから構成されるものであって、温度センサ１６により検出される空気温度などに応じて、電動式コンプレッサ１０、電動式室内送風機１５、および電動式室外送風機１２等を制御する。
【００２４】
ここで、局舎内の電気機器２としては、商用電源等の電源から供給される電力を整流する整流器、携帯電話と最寄りの交換局等との間で送受信される信号を処理する処理回路、および携帯電話に送信する電力を増幅させる送信アンプなどが用いられている。
【００２５】
なお、基地局１の局舎としては、断熱性の高い密閉空間が構成されているものである。温度センサ１６としては、サーミスタなどが用いられている。
【００２６】
次に、本実施形態の作動について図２〜図４を用いて説明する。先ず、電子制御装置５は、図２に示すＯＮ−ＯＦＦ特性図に基づき、電動式コンプレッサ１０および電動式室内送風機１５を制御する。図２は、横軸が、温度センサ１６により検出される空気温度を示し、縦軸が、電動式コンプレッサ１０および電動式室内送風機１５の動作を示す。
【００２７】
具体的には、電子制御装置５は、図３、図４に示すフローチャートにしたがって、メモリに予め記憶されているコンピュータプログラムを実行する。図３はファン停止処理を示すフローチャートであり、図４はコンプレッサ起動処理を示すフローチャートである。
【００２８】
ここで、コンプレッサ起動処理およびファン停止処理は、交互に実行されるものであり、以下、ファン停止処理に先だって、図４に示すコンプレッサ起動処理について説明する。すなわち、温度センサ１６により検出される空気温度が、局舎内空気の設定温度Ｔｓよりも高くなったか否かを判定する（図４中のＳ１５０）。
【００２９】
ここで、温度センサ１６により検出される空気温度が、局舎内空気の設定温度Ｔｓよりも高くなったとしてＹＥＳと判定したとき、電動式室内送風機１５の稼働を開始させるので（図４中のＳ１６０）、局舎内の空気が蒸発器１４に送風される。これに伴い、局舎内の空気が攪拌されることになる。
【００３０】
次に、温度センサ１６により検出される空気温度が、一定温度Ｔｃよりも高くなったか否かを判定する（図４中のＳ１７０）。一定温度Ｔｃとしては、設定温度Ｔｓよりも例えば１℃高く設定されている温度（Ｔｓ＋１）が、用いられている。
【００３１】
ここで、温度センサ１６により検出される空気温度が一定温度Ｔｃ未満のとき、ＮＯと判定して電動式コンプレッサ１０の停止を維持する（図４中のＳ１７３）。その一方、温度センサ１６により検出される空気温度が一定温度Ｔｃよりも高くなったとしてＹＥＳと判定したときには、電動式コンプレッサ１０を起動させる（図４中のＳ１７２）。
【００３２】
これに伴って、電動式コンプレッサ１０が冷媒を圧縮し吐出すると、凝縮器１１により、電動式コンプレッサ１０から吐出される冷媒が局舎外に放熱して凝縮される。
【００３３】
すると、減圧器１３が凝縮器１１で凝縮される冷媒を減圧膨張させるので、蒸発器１４は、減圧器１３にて減圧膨張された冷媒を蒸発させて電動式コンプレッサ１０に向け出力する。
【００３４】
ここで、蒸発器１４が、冷媒を蒸発させることに伴い、電動式室内送風機１５により送風される空気から吸熱するので、蒸発器１４としては、電動式室内送風機１５により送風される空気を冷やすことになる。
【００３５】
その後、温度センサ１６により検出される空気温度が、一定温度Ｔｄよりも低下したか否かを判定する（図３中のＳ１００）。一定温度Ｔｄとしては、設定温度Ｔｓよりも例えば１℃低く設定されている温度（Ｔｓ−１）が、用いられている。
【００３６】
ここで、温度センサ１６により検出される空気温度が一定温度Ｔｄよりも低下したとしてＹＥＳと判定したとき、電動式コンプレッサ１０を停止させる（図３中のＳ１１０）。
【００３７】
その後、一定期間（例えば、一分）経過する以前では、電動式室内送風機１５の稼働を維持する一方（図３中のＳ１２１）、一定期間以上経過すると電動式室内送風機１５を停止する（図３中のＳ１２２）。
【００３８】
次に、本実施形態の作用効果について説明する。
【００３９】
すなわち、本実施形態の基地局用空調装置としては、携帯電話通信網の基地局１の局舎内の空気温度を制御するものであって、冷媒を圧縮し吐出する電動式コンプレッサ１０と、この電動式コンプレッサ１０から吐出される冷媒が基地局１の局舎外に放熱し凝縮する凝縮器１１と、この凝縮器１１で凝縮される冷媒を減圧膨張させる減圧器１３と、この減圧器１３にて減圧膨張された冷媒を蒸発させて電動式コンプレッサ１０に向け出力する蒸発器１４と、局舎内の空気を蒸発器１４に送風する室内送風機１５と、局舎内の空気温度を検出する温度センサ１６と、温度センサ１６により検出される空気温度に応じて電動式コンプレッサ１０を制御するとともに、電動式コンプレッサ１０の停止後一定期間経過すると室内送風機１５の稼働を停止させる電子制御装置５と、を備えることを特徴とする。
【００４０】
これにより、電動式コンプレッサ１０の停止後一定期間だけ室内送風機１５を稼働させることになるので、局舎内の空気を攪拌することが可能になり、局舎内にて温度むらの発生を抑制することができる。
【００４１】
したがって、温度センサ１６としては、局舎内の全体を加味した空気温度を検出することができる。このように検出される空気温度に基づき電動式コンプレッサ１０が制御されるので、その電動式コンプレッサ１０の制御としては精度の高いものとなる。
【００４２】
また、本実施形態では、温度むらを抑制することにより、電気機器２の周辺温度を下げることができるので、電気機器２の信頼性向上、長寿命化を図ることができる。
【００４３】
さらに、本実施形態では、温度むらを抑制することにより、局舎内にて局所的に温度の高い高温部分の発生が無くなるので、基地局用空調装置の負荷が低減でき、基地局用空調装置の長寿命化を図ることができる。
【００４４】
また、本実施形態では、電子制御装置５は、温度センサ１６により検出される空気温度が温度Ｔｓ（第１の温度）以上になると電動式室内送風機１５の稼働を開始させるとともに、温度センサ１６により検出される空気温度が温度Ｔｓよりも高い温度Ｔｃ以上になると電動式コンプレッサ１０の稼働を開始させる。
【００４５】
この場合、空気温度が上昇するとき、電動式コンプレッサ１０の稼働に先だって、電動式室内送風機１５の稼働が開始されて、局舎内の空気が攪拌されるため、この攪拌された空気温度に基づき、電動式コンプレッサ１０の稼働を開始させることができる。このため、電動式コンプレッサ１０の稼働を開始させる制御をより一層精度良く行うことができる。
（その他の実施形態）
上述の実施形態では、温度センサ１６により検出される空気温度が温度Ｔｓ以上になると電動式室内送風機１５の稼働を開始させ、温度センサ１６により検出される空気温度が温度Ｔｓよりも高い温度Ｔｃ以上になると電動式コンプレッサ１０の稼働を開始させて、電動式コンプレッサ１０の稼働開始に先だって、局舎内の空気を攪拌する例について説明したが、これに限らず、次のようにしてもよい。
【００４６】
すなわち、電子制御装置５は、温度センサ１６により検出される空気温度に応じて、電動式室内送風機１５の稼働を開始させるとともに、電動式室内送風機１５の稼働開始後一定期間以上経過したとき、電動式コンプレッサ１０の稼働を開始させる。
【００４７】
この場合も、電動式コンプレッサ１０の稼働開始に先だって、一定期間以上、電動式室内送風機１５を稼働させて、局舎内の空気が攪拌されるため、この攪拌された空気温度に基づき、電動式コンプレッサ１０の稼働を開始させることができる。
【図面の簡単な説明】
【００４８】
【図１】本発明に係る一実施形態である基地局用空調装置を示す図である。
【図２】図１の電子制御装置の概略作動を示す特性図である。
【図３】図１の電子制御装置の処理の一部を示すフローチャートである。
【図４】図１の電子制御装置の処理の残りを示すフローチャートである。
【図５】従来の基地局用空調装置の概略作動を示す特性図である。
【符号の説明】
【００４９】
３…室外機、４…室内機、５…電子制御装置、１０…電動式コンプレッサ、
１１…凝縮器、１２…電動式室外送風機、１３…減圧器、１４…蒸発器、
１５…電動式室内送風機、１６…温度センサ。
【図１】
2005055035.tif 000003
【図２】
2005055035.tif 000004
【図３】
2005055035.tif 000005
【図４】
2005055035.tif 000006
【図５】
2005055035.tif 000007